(57)【特許請求の範囲】
【請求項１】
局側装置と複数の加入者側装置とが光伝送路を介して通信を行う光伝送システムに備えられる前記加入者側装置であって、
前記局側装置から送信される下り信号を受信する受信部と、
前記受信部によって受信された下り信号に基づいて、前記局側装置に同期した同期クロック信号を生成する同期クロック生成部と、
前記局側装置から独立して動作するときの基準となる自走クロック信号を生成する自走クロック生成部と、
前記自走クロック信号に基づいて、現在時刻を表す自走時刻情報を生成する自走時刻生成部と、
前記同期クロック信号と前記自走クロック信号との周波数偏差を測定する周波数偏差測定部と、
前記周波数偏差に基づいて、前記自走時刻情報を補正するための補正情報を生成する補正情報生成部と、
前記補正情報に基づいて、前記自走時刻情報を補正して出力する時刻情報管理部と、
前記受信部が前記下り信号を認識または受信できない信号断状態であることを検出する下り信号断検出部とを備え、
前記時刻情報管理部は、前記下り信号断検出部によって前記信号断状態であることが検出された場合、前記信号断状態であることが検出される前に前記補正情報生成部で生成された前記補正情報に基づいて、前記自走時刻情報を補正して出力することを特徴とする加入者側装置。
【請求項２】
前記同期クロック信号に基づいて、現在時刻を表す同期時刻情報を生成する同期時刻生成部を備え、
前記時刻情報管理部は、
前記下り信号断検出部によって前記信号断状態であることが検出された場合、前記補正情報に基づいて、前記自走時刻情報を補正して出力する自走時刻管理部と、
前記下り信号断検出部によって前記信号断状態であることが検出されない場合、前記同期時刻生成部によって生成される前記同期時刻情報を出力する同期時刻管理部とを備えることを特徴とする請求項１に記載の加入者側装置。
【請求項３】
前記受信部は、オン状態とオフ状態とを切り替え可能な電源を有し、
前記受信部の電源をオン状態からオフ状態、またはオフ状態からオン状態へ切り替えるように前記受信部を制御するスリープ制御部と、
前記周波数偏差の測定結果の時間変化に基づいて、前記受信部の電源がオフ状態であるスリープ状態を維持可能な時間を表すスリープ許可時間を決定するスリープ時間管理部とを備え、
前記スリープ制御部は、前記スリープ状態であるとき、前記スリープ状態が継続されている時間を表すスリープ継続時間が、前記スリープ許可時間以上であると判断すると、前記受信部の電源をオフ状態からオン状態へ切り替えるように前記受信部を制御して、前記スリープ状態を解除することを特徴とする請求項１または２に記載の加入者側装置。
【請求項４】
前記スリープ制御部は、トラフィックの有無を判断可能に構成されており、
前記スリープ制御部は、前記スリープ状態でないとき、（ａ）トラフィックが無いと判断すると、前記受信部の電源をオン状態からオフ状態へ切り替えるように前記受信部を制御して、前記スリープ状態に移行させ、（ｂ）トラフィックが有ると判断すると、前記受信部の電源をオン状態に維持するように前記受信部を制御して、前記スリープ状態を維持させることを特徴とする請求項３に記載の加入者側装置。
【請求項５】
局側装置と複数の加入者側装置とが光伝送路を介して通信を行う光伝送システムであって、
前記加入者側装置は、請求項１〜４のいずれか１つに記載の加入者側装置であることを特徴とする光伝送システム。
【発明の詳細な説明】
【技術分野】
【０００１】
本発明は、加入者側装置およびそれを備える光伝送システムに関する。
【背景技術】
【０００２】
受動光ネットワーク（Passive Optical Network；略称：ＰＯＮ）システムなどの光伝送システムでは、局側装置と複数の加入者側装置とが光伝送路を介して通信を行う。ＰＯＮシステムにおいて、局側装置は光回線終端装置（Optical Line Terminal；略称：ＯＬＴ）とも称され、加入者側装置は光ネットワークユニット（Optical Network Unit；略称：ＯＮＵ）とも称される。【０００３】
各ＯＮＵには、下位装置、たとえば携帯端末装置用の無線基地局装置が接続される。各下位装置は、自装置が接続されるＯＮＵによって生成される時刻情報に基づいて、時刻の同期をとる。したがって、ＯＬＴに接続される各ＯＮＵは、全地球測位システム（Global Positioning System；略称：ＧＰＳ）などの時刻源と同期して動作しているＯＬＴの時刻に同期することが求められる。【０００４】
ＯＬＴとＯＮＵとの間で時刻の同期をとるための技術は、たとえば特許文献１に開示されている。特許文献１に開示される技術では、ＯＬＴのカウンタの時刻を示す第１のタイムスタンプと、ＯＬＴとＯＮＵとの間の往復伝播時間（Round Trip Time；略称：ＲＴＴ）とが、ＯＬＴからＯＮＵに通知される。通知されたＲＴＴに基づいて、ＯＮＵのカウンタの時刻を表す第２のタイムスタンプが補正される。
【先行技術文献】
【特許文献】
【０００５】
【特許文献１】特開２００９−５０７０号公報
【発明の概要】
【発明が解決しようとする課題】
【０００６】
ＯＮＵを省電力化する技術として、サイクリックスリープ（Cyclic Sleep）モードがある。サイクリックスリープモードとは、トラフィックが無いときに、ＯＮＵの光電気変換部の電源をオフ（ＯＦＦ）状態にする動作モードである。ＯＮＵは、光電気変換部でＯＬＴからの下り信号を受信するので、サイクリックスリープモードでＯＮＵの光電気変換部の電源をオフ状態にすると、ＯＮＵがＯＬＴからの下り信号を受信することができなくなる。【０００７】
前述の特許文献１に開示される技術では、ＯＬＴからの下り信号によって、ＯＮＵに第１のタイムスタンプとＲＴＴとを通知して、時刻の同期をとっている。したがって、サイクリックスリープモードになって、ＯＮＵがＯＬＴからの下り信号を受信することができなくなると、第１のタイムスタンプおよびＲＴＴを取得することができず、時刻の同期をとることができなくなる。【０００８】
その結果、ＯＮＵのカウンタに相当するＯＮＵローカルタイマと、ＯＬＴのカウンタに相当するＯＬＴローカルタイマとの間における時刻の誤差が時間の経過とともに増大し、正確な時刻情報を生成できない場合が生じる。【０００９】
本発明の目的は、下り信号を受信する部分の電源がオフ状態であっても、正確な時刻情報を生成することができ、他の装置との間で時刻の同期をとることができる加入者側装置およびそれを備える光伝送システムを提供することである。
【課題を解決するための手段】
【００１０】
本発明の加入者側装置は、局側装置と複数の加入者側装置とが光伝送路を介して通信を行う光伝送システムに備えられる前記加入者側装置であって、前記局側装置から送信される下り信号を受信する受信部と、前記受信部によって受信された下り信号に基づいて、前記局側装置に同期した同期クロック信号を生成する同期クロック生成部と、前記局側装置から独立して動作するときの基準となる自走クロック信号を生成する自走クロック生成部と、前記自走クロック信号に基づいて、現在時刻を表す自走時刻情報を生成する自走時刻生成部と、前記同期クロック信号と前記自走クロック信号との周波数偏差を測定する周波数偏差測定部と、前記周波数偏差に基づいて、前記自走時刻情報を補正するための補正情報を生成する補正情報生成部と、前記補正情報に基づいて、前記自走時刻情報を補正して出力する時刻情報管理部と、前記受信部が前記下り信号を認識または受信できない信号断状態であることを検出する下り信号断検出部とを備え、前記時刻情報管理部は、前記下り信号断検出部によって前記信号断状態であることが検出された場合、前記信号断状態であることが検出される前に前記補正情報生成部で生成された前記補正情報に基づいて、前記自走時刻情報を補正して出力することを特徴とする。【００１１】
本発明の光伝送システムは、局側装置と複数の加入者側装置とが光伝送路を介して通信を行う光伝送システムであって、前記加入者側装置は、前記本発明の加入者側装置であることを特徴とする。
【発明の効果】
【００１２】
本発明の加入者側装置によれば、局側装置から送信される下り信号が、受信部によって受信される。受信された下り信号に基づいて、局側装置に同期した同期クロック信号が、同期クロック生成部によって生成される。また自走クロック生成部によって、局側装置から独立して動作するときの基準となる自走クロック信号が生成される。生成された自走クロック信号に基づいて、現在時刻を表す自走時刻情報が、自走時刻生成部によって生成される。同期クロック信号と自走クロック信号との周波数偏差が周波数測定部によって測定され、測定された周波数偏差に基づいて、自走時刻情報を補正するための補正情報が、補正情報生成部によって生成される。時刻情報管理部によって、生成された補正情報に基づいて、自走時刻情報が補正されて出力される。【００１３】
下り信号断検出部によって、下り信号が信号断状態であることが検出された場合、時刻情報管理部によって、信号断状態であることが検出される前に補正情報生成部で生成された補正情報に基づいて、自走時刻情報が補正されて出力される。これによって、下り信号の有無に関わらず、正確な自走時刻情報を自装置の時刻情報として生成することができるので、受信部の電源がオフ状態であっても、他の装置との間で時刻の同期をとることができる。したがって、ユーザトラフィックは流れていないが時刻同期機能は使用中という状態のときでも、受信部の電源をオフ状態にするサイクリックスリープモードに移行することができるので、加入者側装置の省電力化を図ることができる。【００１４】
本発明の光伝送システムによれば、前述のように省電力化を図ることができる加入者側装置を備えて、光伝送システムが構成される。したがって、光伝送システムの省電力化を図ることができる。【００１５】
この発明の目的、特徴、局面、および利点は、以下の詳細な説明と添付図面とによって、より明白となる。
【図面の簡単な説明】
【００１６】
【図１】本発明の前提技術の光伝送システム１０の構成を示すブロック図である。
【図２】光伝送システム１０におけるＯＬＴ１１の構成を示すブロック図である。
【図３】光伝送システム１０におけるＯＮＵ１２の構成を示すブロック図である。
【図４】時刻同期フレーム（ＴＳＦ）を示す図である。
【図５】本発明の第１の実施の形態におけるＯＮＵ１の構成を示すブロック図である。
【図６】本発明の第１の実施の形態のＯＮＵ１における時刻補正処理に関する処理手順を示すフローチャートである。
【図７】本発明の第２の実施の形態におけるＯＮＵ２の構成を示すブロック図である。
【図８】本発明の第２の実施の形態のＯＮＵ２における時刻情報出力処理に関する処理手順を示すフローチャートである。
【図９】本発明の第３の実施の形態におけるＯＮＵ３の構成を示すブロック図である。
【図１０】本発明の第３の実施の形態におけるＯＮＵ３がスリープ状態でない場合の処理に関する処理手順を示すフローチャートである。
【図１１】本発明の第３の実施の形態におけるＯＮＵ３がスリープ状態である場合の処理に関する処理手順を示すフローチャートである。
【発明を実施するための形態】
【００１７】
＜前提技術＞
本発明の光伝送システムを説明する前に、本発明の前提技術の光伝送システムを説明する。図１は、本発明の前提技術の光伝送システム１０の構成を示すブロック図である。前提技術の光伝送システム１０は、受動光ネットワーク（Passive Optical Network；略称：ＰＯＮ）システムである。以下の説明では、光伝送システム１０を「ＰＯＮシステム１０」という場合がある。ＰＯＮシステム１０では、時分割多重方式によって、１台の局側装置１１と、複数台の加入者側装置１２とが、光伝送路である光ファイバ１４，１５を介して、通信を行う。
【００１８】
ＰＯＮシステム１０は、１台の局側装置１１と、複数台の加入者側装置１２と、光カプラ１３と、光ファイバ１４，１５とを備えて構成される。局側装置１１は、ＰＯＮシステム１０における親局装置に相当し、たとえば電話局などに設置される。加入者側装置１２は、ＰＯＮシステム１０における子局装置に相当し、たとえば加入者宅などに設置される。
【００１９】
ＰＯＮシステム１０では、局側装置１１は光回線終端装置（Optical Line Terminal；略称：ＯＬＴ）とも称され、加入者側装置１２は光ネットワークユニット（Optical Network Unit；略称：ＯＮＵ）とも称される。以下の説明では、局側装置１１を「ＯＬＴ１１」といい、加入者側装置１２を「ＯＮＵ１２」という場合がある。光ファイバ１４，１５のうち、ＯＬＴ１１に接続される光ファイバ１４を「ＯＬＴ側光ファイバ１４」といい、ＯＮＵ１２に接続される光ファイバ１５を「ＯＮＵ側光ファイバ１５」という場合がある。
【００２０】
ＯＬＴ１１は、上位ネットワーク２０、たとえばインターネットに接続されている。ＯＬＴ１１は、たとえばルータを介して、上位ネットワーク２０に接続される。ＯＬＴ１１は、ＯＬＴ側光ファイバ１４を介して、光カプラ１３に接続されている。光カプラ１３は、複数のＯＮＵ側光ファイバ１５と接続されており、ＯＬＴ側光ファイバ１４とＯＮＵ側光ファイバ１５との間を伝送される光信号の分岐および結合を行う光受動素子である。各ＯＮＵ側光ファイバ１５には、ＯＮＵ１２がそれぞれ接続されている。
【００２１】
以上のように、ＯＬＴ１１と複数のＯＮＵ１２とは、光カプラ１３および光ファイバ１４，１５を介して光通信可能に接続されている。各ＯＮＵ１２には、下位装置、たとえば携帯端末装置用の無線基地局装置（以下「無線基地局」という場合がある）２１が接続されている。
【００２２】
ＯＬＴ１１は、上位ネットワーク２０から受信したフレーム（以下「受信フレーム」または「ＲＥＦ」という場合がある）を、光カプラ１３および光ファイバ１４，１５を介して、ＯＮＵ１２に送信する。またＯＬＴ１１は、ＯＮＵ１２から受信したフレームを、送信すべきフレーム（以下「送信フレーム」または「ＴＲＦ」という場合がある）として上位ネットワーク２０に送信する。またＯＬＴ１１は、たとえば全地球測位システム（Global Positioning System；略称：ＧＰＳ）受信機２２に接続され、ＧＰＳ受信機２２から現在時刻を表す時刻情報（以下「ＴＩ」という場合がある）を取得する。
【００２３】
図２は、光伝送システム１０におけるＯＬＴ１１の構成を示すブロック図である。ＯＬＴ１１は、ＯＬＴ用インタフェース部３１、ＯＬＴ用ローカルタイマ部３２、ＯＬＴ用ＰＯＮ制御部３３、時刻同期フレーム生成部３４、ＯＬＴ用マルチプレックス（multiplex；略称：ＭＵＸ）部３５、ＯＬＴ用光電気変換部３６およびＯＬＴ用フレーム抽出部３７を備えて構成される。
【００２４】
ＯＬＴ用インタフェース部３１は、上位ネットワーク２０から受信した受信フレーム（ＲＥＦ）を、ユーザフレームとして、ＯＬＴ用ＭＵＸ部３５に与える。ユーザフレームとは、ＯＮＵ１２の下位装置である無線基地局装置２１に接続される携帯端末装置と、上位ネットワーク２０に接続される装置との間で送受信される通信フレームのことである。ＯＬＴ用インタフェース部３１がＯＬＴ用ＭＵＸ部３５に与えるユーザフレームは、ＯＬＴ１１からＯＮＵ１２への下り方向のユーザフレーム（以下「下りユーザフレーム」または「ＤＵＦ」という場合がある）である。
【００２５】
またＯＬＴ用インタフェース部３１は、後述するＯＬＴ用フレーム抽出部３７から与えられるユーザフレームを、送信フレーム（ＴＲＦ）として上位ネットワーク２０に送信する。ＯＬＴ用インタフェース部３１がＯＬＴ用フレーム抽出部３７から与えられるユーザフレームは、ＯＮＵ１２からＯＬＴ１１への上り方向のユーザフレーム（以下「上りユーザフレーム」または「ＵＵＦ」という場合がある）である。
【００２６】
ＯＬＴ用インタフェース部３１は、たとえばＧＰＳ受信機２２から送信される時刻情報（ＴＩ）を受信する。ＯＬＴ用インタフェース部３１は、受信した時刻情報（ＴＩ）を時刻同期フレーム生成部３４に与える。
【００２７】
ＯＬＴ用ローカルタイマ部３２は、外部から与えられる基準クロック信号（以下「ＲＣＫ」という場合がある）に同期してカウントアップするＯＬＴ用カウンタを有する。基準クロック信号（ＲＣＫ）は、たとえば、ＯＬＴ１１が有する固定発振器またはＧＰＳ受信機２２などから取得したクロック信号である。ＥＰＯＮ（イーサネット（Ethernet、登録商標）ＰＯＮ）では、ＯＬＴ用カウンタとして、１６ｎｓ毎にカウントアップする３２ビットカウンタが用いられる。ＯＬＴ用ローカルタイマ部３２は、ＯＬＴ用カウンタを自立的にカウントアップし、ＯＬＴ用カウンタの値をＯＬＴタイムスタンプ（以下「ＯＬＴＴＳ」という場合がある）として、ＯＬＴ用ＰＯＮ制御部３３および時刻同期フレーム生成部３４に与える。
【００２８】
ＯＬＴ用ＰＯＮ制御部３３は、往復伝播時間（ＲＴＴ）の計測を行う。ＯＬＴ用ＰＯＮ制御部３３は、ＯＮＵ１２における後述のＯＮＵ用ローカルタイマ部４９のタイムスタンプと、ＯＬＴ用ローカルタイマ部３２から与えられるＯＬＴタイムスタンプ（ＯＬＴＴＳ）との差から、ＲＴＴを計測する。ＯＮＵ用ローカルタイマ部４９のタイムスタンプは、後述するＯＬＴ用フレーム抽出部３７から与えられる上りＰＯＮ制御フレーム（以下「ＵＣＦ」という場合がある）に格納されている。上りＰＯＮ制御フレーム（ＵＣＦ）は、ＯＮＵ１２からＯＬＴ１１への上り方向のＰＯＮ制御フレームである。ＯＬＴ用ＰＯＮ制御部３３は、計測したＲＴＴを時刻同期フレーム生成部３４に与える。
【００２９】
ＯＬＴ用ＰＯＮ制御部３３は、ＯＬＴ用フレーム抽出部３７から与えられる上りＰＯＮ制御フレーム（ＵＣＦ）を用いて、ＯＬＴ１１からＯＮＵ１２への下り方向のＰＯＮ制御フレームである下りＰＯＮ制御フレーム（以下「ＤＣＦ」という場合がある）を生成する。ＯＬＴ用ＰＯＮ制御部３３は、生成した下りＰＯＮ制御フレーム（ＤＣＦ）をＯＬＴ用ＭＵＸ部３５に与える。
【００３０】
時刻同期フレーム生成部３４は、ＯＬＴ用インタフェース部３１から与えられる時刻情報（ＴＩ）と、ＯＬＴ用ローカルタイマ部３２から与えられるＯＬＴタイムスタンプ（ＯＬＴＴＳ）と、ＯＬＴ用ＰＯＮ制御部３３から与えられるＲＴＴとに基づいて、時刻同期フレーム（以下「ＴＳＦ」という場合がある）を生成する。時刻同期フレーム（ＴＳＦ）は、たとえば後述する図４に示す構成を有する。時刻同期フレーム生成部３４は、生成した時刻同期フレーム（ＴＳＦ）をＯＬＴ用ＭＵＸ部３５に与える。時刻同期フレーム生成部３４は、たとえば１秒間に１回の時間間隔で、時刻同期フレーム（ＴＳＦ）をＯＬＴ用ＭＵＸ部３５に与える。
【００３１】
ＯＬＴ用ＭＵＸ部３５は、ＯＬＴ用ＰＯＮ制御部３３から与えられる下りＰＯＮ制御フレーム（ＤＣＦ）と、時刻同期フレーム生成部３４から与えられる時刻同期フレーム（ＴＳＦ）と、ＯＬＴ用インタフェース部３１から与えられる下りユーザフレーム（ＤＵＦ）とを多重して下り信号（以下「ＤＳ」という場合がある）を生成する。ＯＬＴ用ＭＵＸ部３５は、生成した下り信号（ＤＳ）をＯＬＴ用光電気変換部３６に与える。
【００３２】
ＯＬＴ用光電気変換部３６は、電気信号と光信号との相互変換を行う。具体的には、ＯＬＴ用光電気変換部３６は、ＯＬＴ用ＭＵＸ部３５から与えられる下り信号（ＤＳ）を光信号に変換して、光カプラ１３を介してＯＮＵ１２に送信する。下り信号（ＤＳ）は、下りユーザフレーム（ＤＵＦ）、下りＰＯＮ制御フレーム（ＤＣＦ）および時刻同期フレーム（ＴＳＦ）を含む。
【００３３】
またＯＬＴ用光電気変換部３６は、光カプラ１３を介して受信したＯＮＵ１２からの光信号を、電気信号である上り信号（以下「ＵＳ」という場合がある）に変換して、ＯＬＴ用フレーム抽出部３７に与える。上り信号（ＵＳ）は、上りユーザフレーム（ＵＵＦ）および上りＰＯＮ制御フレーム（ＵＣＦ）を含む。
【００３４】
ＯＬＴ用フレーム抽出部３７は、ＯＬＴ用光電気変換部３６から与えられる上り信号（ＵＳ）の中から、上りＰＯＮ制御フレーム（ＵＣＦ）を抽出する。ＯＬＴ用フレーム抽出部３７は、抽出した上りＰＯＮ制御フレーム（ＵＣＦ）をＯＬＴ用ＰＯＮ制御部３３に与える。またＯＬＴ用フレーム抽出部３７は、上りユーザフレーム（ＵＵＦ）をＯＬＴ用インタフェース部３１に与える。
【００３５】
図３は、光伝送システム１０におけるＯＮＵ１２の構成を示すブロック図である。ＯＮＵ１２は、ＯＮＵ用光電気変換部４１、ＯＮＵ用フレーム抽出部４２、ＯＮＵ用インタフェース部４３、ＯＮＵ用ＰＯＮ制御部４４、下り信号断検出部４５、クロック抽出部４６、発振器４７、セレクタ（selector；略称：ＳＥＬ）４８、ＯＮＵ用ローカルタイマ部４９、時刻情報再生部５０、時刻情報管理部５１およびＯＮＵ用ＭＵＸ部５２を備えて構成される。
【００３６】
ＯＮＵ用光電気変換部４１は、電気信号と光信号との相互変換を行う。具体的には、ＯＮＵ用光電気変換部４１は、光カプラ１３を介して受信したＯＬＴ１１からの光信号である下り信号を、電気信号である下り信号（ＤＳ）に変換して、ＯＮＵ用フレーム抽出部４２、下り信号断検出部４５およびクロック抽出部４６に与える。下り信号（ＤＳ）は、下りユーザフレーム（ＤＵＦ）、下りＰＯＮ制御フレーム（ＤＣＦ）および時刻同期フレーム（ＴＳＦ）を含む。ＯＮＵ用光電気変換部４１は、受信部に相当する。
【００３７】
ＯＮＵ用フレーム抽出部４２は、ＯＮＵ用光電気変換部４１から与えられる下り信号（ＤＳ）から、時刻同期フレーム（ＴＳＦ）、下りＰＯＮ制御フレーム（ＤＣＦ）および下りユーザフレーム（ＤＵＦ）を識別し、それぞれのフレームを抽出する。ＯＮＵ用フレーム抽出部４２は、抽出した時刻同期フレーム（ＴＳＦ）を時刻情報再生部５０に与える。ＯＮＵ用フレーム抽出部４２は、抽出した下りＰＯＮ制御フレーム（ＤＣＦ）をＯＮＵ用ＰＯＮ制御部４４に与える。ＯＮＵ用フレーム抽出部４２は、抽出した下りユーザフレーム（ＤＵＦ）をＯＮＵ用インタフェース部４３に与える。
【００３８】
ＯＮＵ用インタフェース部４３は、ＯＮＵ用フレーム抽出部４２から与えられる下りユーザフレーム（ＤＵＦ）を、送信フレーム（ＴＲＦ）として、ＯＮＵ１２の下位装置である無線基地局２１に送信する。
【００３９】
ＯＮＵ用ＰＯＮ制御部４４は、ＯＮＵ用フレーム抽出部４２から与えられる下りＰＯＮ制御フレーム（ＤＣＦ）から、ＯＬＴタイムスタンプ（ＯＬＴＴＳ）を抽出する。ＯＮＵ用ＰＯＮ制御部４４は、抽出したＯＬＴタイムスタンプ（ＯＬＴＴＳ）をＯＮＵ用ローカルタイマ部４９に与える。
【００４０】
ＯＮＵ用ＰＯＮ制御部４４は、ＯＮＵ用フレーム抽出部４２から与えられる下りＰＯＮ制御フレーム（ＤＣＦ）を用いて、上りＰＯＮ制御フレーム（ＵＣＦ）を生成する。ＯＮＵ用ＰＯＮ制御部４４は、生成した上りＰＯＮ制御フレーム（ＵＣＦ）をＯＮＵ用ＭＵＸ部５２に与える。
【００４１】
下り信号断検出部４５は、ＯＮＵ用光電気変換部４１から与えられる下り信号（ＤＳ）が、信号断状態であることを検出する。信号断状態とは、ＯＮＵ用光電気変換部４１が下り信号（ＤＳ）を認識または受信できない状態をいう。たとえば、ＯＬＴ１１からの下り信号（ＤＳ）の信号レベルが小さい場合、ＯＮＵ用光電気変換部４１が下り信号（ＤＳ）を認識できない状態となる。信号断状態は、たとえば、ＯＬＴ１１と光カプラ１３との間を接続するＯＬＴ側光ファイバ１４、またはＯＮＵ１２と光カプラ１３との間を接続するＯＮＵ側光ファイバ１５が損傷することによって生じる。
【００４２】
下り信号断検出部４５は、下り信号（ＤＳ）の入力状態を確認することによって、下り信号（ＤＳ）が信号断状態であることを検出する。「下り信号（ＤＳ）の入力状態を確認する」とは、たとえば、下り信号（ＤＳ）が入力されているか否か、または下り信号（ＤＳ）の信号レベルが予め定める閾値以下であるか否かを確認することをいう。
【００４３】
下り信号断検出部４５によって、下り信号（ＤＳ）が信号断状態であることを検出する方法としては、たとえば以下の（１），（２）の２つの方法がある。
【００４４】
（１）ＯＮＵ１２に入力される下り信号（ＤＳ）の信号レベルが、予め定める閾値以下である場合に、下り信号（ＤＳ）が信号断状態であることを検出する。
【００４５】
（２）下り信号（ＤＳ）からクロック信号を抽出できない場合に、下り信号（ＤＳ）が信号断状態であることを検出する。
【００４６】
前記（１）の検出方法では、下り信号断検出部４５は、ＯＮＵ用光電気変換部４１から与えられる下り信号（ＤＳ）に基づいて、下り信号（ＤＳ）の信号レベルを測定する。下り信号断検出部４５は、測定した下り信号（ＤＳ）の信号レベルが、予め定める閾値以下である場合に、下り信号（ＤＳ）が信号断状態であることを検出する。
【００４７】
前記（２）の検出方法では、下り信号断検出部４５は、不図示の位相同期回路（Phase Locked Loop；略称：ＰＬＬ）がロックされていない場合、信号断状態であることを検出する。たとえば、信号レベルが低い場合、またはデータのビットレートが規定外である場合などには、ＯＮＵ用光電気変換部４１に、正常な下り信号（ＤＳ）が入力されない。この場合、ＯＮＵ用光電気変換部４１から下り信号断検出部４５に、クロック信号を抽出することができない下り信号（ＤＳ）が与えられる。したがって、下り信号断検出部４５は、下り信号（ＤＳ）からクロック信号を抽出できるか否かを確認することによって、下り信号（ＤＳ）が信号断状態であることを検出することができる。
【００４８】
下り信号断検出部４５は、下り信号（ＤＳ）が信号断状態でないことを検出すると、信号断状態でないことを表すフラグ情報、たとえば「０」を含むクロック選択信号（以下「ＣＳＳ」という場合がある）をＳＥＬ４８に与える。下り信号断検出部４５は、下り信号（ＤＳ）が信号断状態であることを検出すると、信号断状態であることを表すフラグ情報、たとえば「１」を含むクロック選択信号（ＣＳＳ）をＳＥＬ４８に与える。
【００４９】
クロック抽出部４６は、たとえばクロックデータリカバリ（Clock Data Recovery；略称：ＣＤＲ）技術を用いて、ＯＮＵ用光電気変換部４１から与えられる下り信号（ＤＳ）から、ＯＬＴ１１に同期したクロック信号（以下「ＯＬＴ同期クロック信号」という場合がある）を抽出する。ＯＬＴ同期クロック信号は、具体的にはＯＬＴ１１が有する固定発振器、またはＧＰＳ受信機２２などから受信したクロック信号に同期したクロック信号である。
【００５０】
クロック抽出部４６は、たとえば、不図示のＰＬＬを用いて、ＯＮＵ１２に備えられる固定発振器から出力されるクロック信号であるリファレンスクロック信号の位相を調整することによって、ＯＬＴ同期クロック信号を抽出する。クロック抽出部４６は、同期クロック生成部に相当する。ＯＬＴ同期クロック信号を抽出することは、ＯＬＴ同期クロック信号を生成することに相当する。クロック抽出部４６は、抽出したＯＬＴ同期クロック信号をＳＥＬ４８に与える。
【００５１】
発振器４７は、ＯＮＵ１２がＯＬＴ１１から独立して動作するときの基準となるクロック信号（以下「自走クロック信号」という場合がある）を生成する自走クロック信号源である。発振器４７は、自走クロック生成部に相当する。発振器４７は、生成した自走クロック信号をＳＥＬ４８に与える。
【００５２】
ＳＥＬ４８は、下り信号断検出部４５から与えられるフラグ情報を含むクロック選択信号（ＣＳＳ）に基づいて、クロック抽出部４６から与えられるＯＬＴ同期クロック信号、または発振器４７から与えられる自走クロック信号を選択する。
【００５３】
下り信号断検出部４５によって下り信号（ＤＳ）が信号断状態でないことが検出された場合、ＳＥＬ４８には、下り信号断検出部４５から、フラグ情報として「０」が与えられる。ＳＥＬ４８は、下り信号断検出部４５から、フラグ情報として「０」が与えられると、クロック抽出部４６から与えられるＯＬＴ同期クロック信号を基準クロック信号（ＲＣＫ）として、ＯＮＵ用ローカルタイマ部４９および時刻情報管理部５１に与える。
【００５４】
下り信号断検出部４５によって下り信号（ＤＳ）が信号断状態であることが検出された場合、ＳＥＬ４８には、下り信号断検出部４５から、フラグ情報として「１」が与えられる。ＳＥＬ４８は、下り信号断検出部４５から、フラグ情報として「１」が与えられると、発振器４７から与えられる自走クロック信号を基準クロック信号（ＲＣＫ）として、ＯＮＵ用ローカルタイマ部４９および時刻情報管理部５１に与える。
【００５５】
ＯＮＵ用ローカルタイマ部４９は、ＳＥＬ４８を介してクロック抽出部４６から与えられるＯＬＴ同期クロック信号、または発振器４７から与えられる自走クロック信号に基づいてカウントアップするＯＮＵ用カウンタを有する。ＥＰＯＮでは、ＯＮＵ用カウンタとして、１６ｎｓ毎にカウントアップする３２ビットカウンタが用いられる。
【００５６】
ＯＮＵ用ローカルタイマ部４９は、ＯＮＵ用ＰＯＮ制御部４４からＯＬＴタイムスタンプ（ＯＬＴＴＳ）が与えられると、カウント値をＯＬＴタイムスタンプ（ＯＬＴＴＳ）に合わせ込むように構成されている。したがって、下りＰＯＮ制御フレーム（ＤＣＦ）を受信可能な状態で、かつＯＬＴ同期クロック信号を用いているときに、ＯＮＵ用ローカルタイマ部４９によってカウントアップされたカウント値は、ＯＬＴローカルタイマの値と、ＲＴＴの２分の１（ＲＴＴ／２）の値との差分値、すなわち｛ＯＬＴローカルタイマ−（ＲＴＴ／２）｝の値を指し示す。
【００５７】
ＯＮＵ用ローカルタイマ部４９は、カウント値をＯＮＵタイムスタンプ（以下「ＯＮＵＴＳ」という場合がある）として、時刻情報再生部５０およびＯＮＵ用ＰＯＮ制御部４４に与える。
【００５８】
時刻情報再生部５０は、ＯＮＵ用ローカルタイマ部４９から与えられるＯＮＵタイムスタンプ（ＯＮＵＴＳ）と、ＯＮＵ用フレーム抽出部４２から与えられる時刻同期フレーム（ＴＳＦ）から抽出した時刻情報と、ＯＬＴタイムスタンプ（ＯＬＴＴＳ）とから、現在の時刻情報を再生する。時刻情報再生部５０は、再生した時刻情報を表す再生時刻情報（以下「ＲＴＩ」という場合がある）を、時刻情報管理部５１に与える。
【００５９】
時刻情報管理部５１は、ＳＥＬ４８を介してクロック抽出部４６から与えられるＯＬＴ同期クロック信号、または発振器４７から与えられる自走クロック信号でカウントアップして現在時刻を示すカウンタを有する。時刻情報管理部５１は、時刻情報再生部５０から与えられる再生時刻情報（ＲＴＩ）にカウンタを合わせる。時刻情報管理部５１は、予め定めるタイミング、たとえば、秒の小数点以下が「０」になったときに、ＯＮＵ用インタフェース部４３に、カウント値である時刻情報（ＴＩ）を与える。
【００６０】
ＯＮＵ用インタフェース部４３は、時刻情報管理部５１から与えられた時刻情報（ＴＩ）を、ＯＮＵ１２の下位装置である無線基地局２１に送信する。またＯＮＵ用インタフェース部４３は、ＯＮＵ１２の下位装置である無線基地局２１から受信した受信フレーム（ＲＥＦ）を、上りユーザフレーム（ＵＵＦ）として、ＯＮＵ用ＭＵＸ部５２に与える。
【００６１】
ＯＮＵ用ＭＵＸ部５２は、ＯＮＵ用インタフェース部４３から与えられる上りユーザフレーム（ＵＵＦ）と、ＯＮＵ用ＰＯＮ制御部４４から与えられる上りＰＯＮ制御フレーム（ＵＣＦ）とを多重して上り信号（ＵＳ）を生成する。ＯＮＵ用ＭＵＸ部５２は、生成した上り信号（ＵＳ）をＯＮＵ用光電気変換部４１に与える。
【００６２】
ＯＮＵ用光電気変換部４１は、ＯＮＵ用ＭＵＸ部５２から与えられる上り信号（ＵＳ）を光信号に変換し、光カプラ１３を介してＯＬＴ１１に送信する。
【００６３】
図４は、時刻同期フレーム（ＴＳＦ）を示す図である。時刻同期フレーム（ＴＳＦ）は、時刻同期フレーム生成部３４によって生成される。図４に示す時刻同期フレーム（ＴＳＦ）は、時刻情報と、ＯＬＴ１１のローカルタイマとを関連付けた情報を格納したフレームである。
【００６４】
時刻同期フレーム（ＴＳＦ）には、時刻情報を受信したときのＯＬＴタイムスタンプ（ＯＬＴＴＳ）６１と、ＲＴＴの補正をした時刻情報（ＴＩ）６２とが含まれている。ＲＴＴの補正をした時刻情報６２は、受信した時刻情報と、ＲＴＴの２分の１（ＲＴＴ／２）の値との和となる。
【００６５】
サイクリックスリープモードでＯＮＵ１２のＯＮＵ用光電気変換部４１の電源をオフ状態にすると、ＯＮＵ１２がＯＬＴ１１からの下り信号（ＤＳ）を受信することができなくなる。
【００６６】
従来の技術、たとえば前述の特許文献１に開示される技術では、ＯＬＴ１１からの下り信号によって、ＯＮＵ１２に第１のタイムスタンプとＲＴＴとを通知して、時刻の同期をとっている。したがって、サイクリックスリープモードになって、ＯＮＵ１２がＯＬＴ１１からの下り信号を受信することができなくなると、第１のタイムスタンプおよびＲＴＴを取得することができず、時刻の同期をとることができなくなる。
【００６７】
その結果、ＯＮＵ用ローカルタイマ部４９と、ＯＬＴ用ローカルタイマ部３２との間における時刻の誤差が時間の経過とともに増大し、正確な時刻情報を生成できない場合が生じる。
【００６８】
そこで本発明の光伝送システムでは、正確な時刻情報を生成するために、以下の各実施の形態に示す構成を採用している。以下の各実施の形態の光伝送システムは、前提技術の光伝送システム１０と同様に、ＰＯＮシステムである。各実施の形態のＰＯＮシステムを構成するＯＬＴの構成は、前提技術の光伝送システム１０におけるＯＬＴ１１の構成と同一であるので、同一の参照符を付し、図示および説明を省略する。
【００６９】
＜第１の実施の形態＞
図５は、本発明の第１の実施の形態におけるＯＮＵ１の構成を示すブロック図である。図５に示すＯＮＵ１の構成は、前述の図３に示す前提技術のＯＮＵ１２の構成と類似しているので、異なる部分についてのみ説明し、対応する部分には同一の参照符を付して、共通する説明を省略する。
【００７０】
ＯＮＵ１は、ＯＮＵ用光電気変換部４１、ＯＮＵ用フレーム抽出部４２、ＯＮＵ用インタフェース部４３、ＯＮＵ用ＰＯＮ制御部４４、下り信号断検出部４５、クロック抽出部４６、発振器４７、ＳＥＬ４８、ＯＮＵ用ローカルタイマ部４９、時刻情報再生部５０、ＯＮＵ用ＭＵＸ部５２、周波数偏差測定部７１、時刻補正値生成部７２および時刻情報管理部７３を備えて構成される。
【００７１】
下り信号断検出部４５は、下り信号が信号断状態でないことを検出すると、信号断状態でないことを表すフラグ情報、たとえば「０」を含むクロック選択信号（ＣＳＳ）を、ＳＥＬ４８および周波数偏差測定部７１に与える。下り信号断検出部４５は、下り信号が信号断状態であることを検出すると、信号断状態であることを表すフラグ情報、たとえば「１」を含むクロック選択信号（ＣＳＳ）を、ＳＥＬ４８および周波数偏差測定部７１に与える。
【００７２】
クロック抽出部４６は、抽出したＯＬＴ同期クロック信号を、ＳＥＬ４８および周波数偏差測定部７１に与える。発振器４７は、生成した自走クロック信号を、ＳＥＬ４８および周波数偏差測定部７１に与える。また発振器４７は、生成した自走クロック信号を基準クロック信号（ＲＣＫ）として、時刻情報管理部７３に与える。
【００７３】
周波数偏差測定部７１は、下り信号が信号断状態でないときに、クロック抽出部４６から与えられるＯＬＴ同期クロック信号と、発振器４７から与えられる自走クロック信号との間の周波数偏差（以下「ＦＤ」という場合がある）を測定する。ここで、「下り信号が信号断状態でないとき」とは、ＯＬＴ１１とＯＮＵ１とのリンクが確立し、下り信号断検出部４５から与えられるクロック選択信号（ＣＳＳ）に含まれるフラグ情報が「０」のときである。周波数偏差測定部７１は、具体的には、周波数偏差（ＦＤ）として、ＯＬＴ同期クロック信号で駆動したカウンタのカウント値と、自走クロック信号で駆動したカウンタのカウント値との差分値を計算する。
【００７４】
周波数偏差測定部７１は、下り信号が信号断状態であるときには、前回測定した周波数偏差（ＦＤ）の測定結果を保持する。ここで、「下り信号が信号断状態であるとき」とは、下り信号断検出部４５から与えられるクロック選択信号（ＣＳＳ）に含まれるフラグ情報が「１」のときである。周波数偏差測定部７１は、測定した周波数偏差（ＦＤ）の測定結果を、時刻補正値生成部７２に与える。
【００７５】
時刻補正値生成部７２は、周波数偏差測定部７１から与えられる周波数偏差（ＦＤ）の測定結果に基づいて、単位時間あたりの時刻補正値（ＣＶ）を生成する。時刻補正値生成部７２は、補正情報生成部に相当する。時刻補正値（ＣＶ）は、後述する時刻情報管理部７３のカウント値である自走時刻情報を補正するための補正情報に相当する。時刻補正値生成部７２は、生成した時刻補正値（ＣＶ）を、時刻情報管理部７３に与える。
【００７６】
本実施の形態では、時刻情報管理部７３は、発振器４７から与えられる自走クロック信号でカウントアップして現在時刻を示すカウンタを有する。時刻情報管理部７３は、自走時刻情報生成部に相当する。時刻情報管理部７３のカウンタの値は、現在時刻を表す自走時刻情報に相当する。時刻情報管理部７３のカウンタが自走クロック信号でカウントアップすることは、自走クロック信号に基づいて自走時刻情報を生成することに相当する。
【００７７】
時刻情報管理部７３は、時刻情報再生部５０から与えられる再生時刻情報（ＲＴＩ）にカウンタを合わせる。また時刻情報管理部７３は、単位時間毎、たとえば１ｍｓ毎に時刻補正値生成部７２から与えられる時刻補正値（ＣＶ）に基づいて、カウンタのカウント値を補正する。時刻情報管理部７３は、予め定めるタイミング、たとえば、秒の小数点以下が「０」になったときに、補正したカウント値である自走時刻情報を出力し、ＯＮＵ用インタフェース部４３に与える。
【００７８】
図６は、本発明の第１の実施の形態のＯＮＵ１における時刻補正処理に関する処理手順を示すフローチャートである。図６に示す各処理は、ＯＮＵ１の下り信号断検出部４５、周波数偏差測定部７１、時刻補正値生成部７２および時刻情報管理部７３によって実行される。ＯＮＵ１に、不図示の電源から電力が供給されると、図６のフローチャートに示す処理が開始され、ステップａ１に移行する。
【００７９】
ＯＮＵ用光電気変換部４１は、ＯＮＵ１全体に電力を供給する電源とは独立してオン状態とオフ状態とを切り替え可能な不図示の電源を有する。ＯＮＵ用光電気変換部４１の電源をオン状態にするとは、ＯＮＵ用光電気変換部４１へ電力を供給する状態にすることをいう。ＯＮＵ用光電気変換部４１の電源をオフ状態にするとは、ＯＮＵ用光電気変換部４１への電力の供給を停止した状態にすることをいう。ＯＮＵ１に電力が供給されてＯＮＵ１がオン状態になると、ＯＮＵ用光電気変換部４１の電源がオフ状態からオン状態へ切り替えられる。
【００８０】
ステップａ１において、下り信号断検出部４５は、下り信号の入力状態を確認する。具体的には、下り信号断検出部４５は、下り信号が入力されているか否か、または下り信号の信号レベルが予め定める閾値以下であるか否かを確認する。下り信号の入力状態を確認すると、ステップａ２に移行する。
【００８１】
ステップａ２において、下り信号断検出部４５は、ステップａ１で確認した下り信号の入力状態に基づいて、下り信号が信号断状態であるか否かを判断する。ステップａ２において、信号断状態であると判断された場合、すなわち下り信号断検出部４５によって信号断状態であることが検出された場合は、ステップａ３に移行し、信号断状態でないと判断された場合は、ステップａ４に移行する。
【００８２】
ステップａ３において、時刻補正値生成部７２は、時刻補正値（ＣＶ）が生成済みであるか否かを判断する。ステップａ３において、時刻補正値（ＣＶ）が生成済みであると判断された場合は、ステップａ６に移行し、時刻補正値（ＣＶ）が生成済みでないと判断された場合は、ステップａ１に戻り、前述の処理を繰り返す。
【００８３】
ステップａ４において、周波数偏差測定部７１は、前述のようにして周波数偏差（ＦＤ）を測定する。周波数偏差（ＦＤ）が測定されると、ステップａ５に移行する。
【００８４】
ステップａ５において、時刻補正値生成部７２は、前述のようにして時刻補正値（ＣＶ）を生成する。時刻補正値（ＣＶ）が生成されると、ステップａ６に移行する。
【００８５】
ステップａ３からステップａ６に移行した場合、ステップａ６において、時刻情報管理部７３は、ステップａ２で信号断状態であると判断される前に生成された時刻補正値（ＣＶ）に基づいて、自走時刻情報を補正する。換言すれば、時刻情報管理部７３は、自走時刻情報を管理しているカウンタの値を、ステップａ２で信号断状態であると判断される前に生成された時刻補正値（ＣＶ）に基づいて補正する。
【００８６】
ステップａ５からステップａ６に移行した場合、ステップａ６において、時刻情報管理部７３は、ステップａ５で生成された時刻補正値（ＣＶ）に基づいて、自走時刻情報を補正する。換言すれば、時刻情報管理部７３は、自走時刻情報を管理しているカウンタの値を、ステップａ５で生成された時刻補正値（ＣＶ）に基づいて補正する。時刻情報を補正する処理が終了した後は、全ての処理手順を終了する。
【００８７】
以上のように本実施の形態のＯＮＵ１では、現在時刻を管理する時刻情報管理部７３をＯＮＵ１の自走クロック信号で動作させ、単位時間毎に周波数偏差（ＦＤ）を測定して時刻補正値（ＣＶ）を補正する。具体的には、ステップａ２で下り信号が信号断状態でないと判断された場合、時刻情報管理部７３は、ステップａ４で周波数偏差（ＦＤ）を測定し、ステップａ５で時刻補正値（ＣＶ）を補正する。そして、ステップａ２で下り信号が信号断状態であると判断された場合には、時刻情報管理部７３は、信号断状態であることが検出される前に生成された時刻補正値（ＣＶ）に基づいて、自走時刻情報を補正して出力する。
【００８８】
本実施の形態のＯＮＵ１は、以上のように構成されるので、下り信号の有無に関わらず、正確な自走時刻情報を自装置の時刻情報として生成することができる。これによって、本実施の形態のＯＮＵ１は、ＯＮＵ用光電気変換部４１の電源がオフ状態であっても、他の装置、たとえば他のＯＮＵ１２またはＯＬＴ１１との間で、時刻の同期をとることができる。
【００８９】
換言すれば、本実施の形態のＯＮＵ１は、ユーザトラフィックは流れていないが時刻同期機能は使用中という状態のときでも、ＯＮＵ用光電気変換部４１の電源をオフ状態にするサイクリックスリープモードに移行させることができる。したがって、ＯＮＵ１の省電力化を図ることができる。ここで、ユーザトラフィックとは、ＯＮＵ１の下位装置である無線基地局装置２１に接続される携帯端末装置と、上位ネットワーク２０に接続される装置との間のトラフィックのことである。
【００９０】
本実施形態のＰＯＮシステムは、以上のような省電力化を図ることができるＯＮＵ１を備えて構成される。したがって、本実施の形態では、ＰＯＮシステムの省電力化を図ることができる。
【００９１】
＜第２の実施の形態＞
図７は、本発明の第２の実施の形態におけるＯＮＵ２の構成を示すブロック図である。図７に示す本実施の形態のＯＮＵ２の構成は、前述の図５に示す第１の実施の形態のＯＮＵ１の構成と類似しているので、異なる部分についてのみ説明し、対応する部分には同一の参照符を付して、共通する説明を省略する。
【００９２】
本実施の形態のＯＮＵ２は、ＯＮＵ用光電気変換部４１、ＯＮＵ用フレーム抽出部４２、ＯＮＵ用インタフェース部４３、ＯＮＵ用ＰＯＮ制御部４４、下り信号断検出部４５、クロック抽出部４６、発振器４７、ＯＮＵ用ローカルタイマ部４９、時刻情報再生部５０、ＯＮＵ用ＭＵＸ部５２、周波数偏差測定部７１、時刻補正値生成部７２、第１時刻情報管理部８１、第２時刻情報管理部８２、第１ＳＥＬ８３および第２ＳＥＬ８４を備えて構成される。
【００９３】
本実施の形態では、下り信号断検出部４５は、下り信号が信号断状態でないことを検出すると、信号断状態でないことを表すフラグ情報、たとえば「０」を含むクロック選択信号（ＣＳＳ）を、第１ＳＥＬ８３、周波数偏差測定部７１および第２ＳＥＬ８４に与える。下り信号断検出部４５は、下り信号が信号断状態であることを検出すると、信号断状態であることを表すフラグ情報、たとえば「１」を含むクロック選択信号（ＣＳＳ）を、第１ＳＥＬ８３、周波数偏差測定部７１および第２ＳＥＬ８４に与える。
【００９４】
クロック抽出部４６は、抽出したＯＬＴ同期クロック信号を、第１ＳＥＬ８３および周波数偏差測定部７１に与える。発振器４７は、生成した自走クロック信号を、第１ＳＥＬ８３および周波数偏差測定部７１に与える。また発振器４７は、生成した自走クロック信号を基準クロック信号（ＲＣＫ）として、第２時刻情報管理部８２に与える。
【００９５】
時刻補正値生成部７２は、生成した時刻補正値（ＣＶ）を、第２時刻情報管理部８２に与える。第１ＳＥＬ８３は、下り信号断検出部４５から与えられるフラグ情報を含むクロック選択信号（ＣＳＳ）に基づいて、クロック抽出部４６から与えられるＯＬＴ同期クロック信号、または発振器４７から与えられる自走クロック信号を選択する。
【００９６】
下り信号断検出部４５によって下り信号が信号断状態でないことが検出された場合、第１ＳＥＬ８３には、下り信号断検出部４５から、フラグ情報として「０」が与えられる。第１ＳＥＬ８３は、下り信号断検出部４５から、フラグ情報として「０」が与えられると、クロック抽出部４６から与えられるＯＬＴ同期クロック信号を基準クロック信号（ＲＣＫ）として、ＯＮＵ用ローカルタイマ部４９および第１時刻情報管理部８１に与える。
【００９７】
下り信号断検出部４５によって下り信号が信号断状態であることが検出された場合、第１ＳＥＬ８３には、下り信号断検出部４５から、フラグ情報として「１」が与えられる。第１ＳＥＬ８３は、下り信号断検出部４５から、フラグ情報として「１」が与えられると、発振器４７から与えられる自走クロック信号を基準クロック信号（ＲＣＫ）として、ＯＮＵ用ローカルタイマ部４９および第１時刻情報管理部８１に与える。
【００９８】
時刻情報再生部５０は、再生時刻情報（ＲＴＩ）を第１時刻情報管理部８１に与える。第１時刻情報管理部８１は、第１ＳＥＬ８３を介してクロック抽出部４６から与えられるＯＬＴ同期クロック信号、または発振器４７から与えられる自走クロック信号でカウントアップして現在時刻を示すカウンタを有する。
【００９９】
第１時刻情報管理部８１は、同期時刻生成部、同期時刻管理部および自走時刻生成部に相当する。第１時刻情報管理部８１のカウンタのカウント値は、現在時刻を表す同期時刻情報または自走時刻情報に相当する。第１時刻情報管理部８１のカウンタがＯＬＴ同期クロック信号でカウントアップすることは、ＯＬＴ同期クロック信号に基づいて同期時刻情報を生成することに相当する。第１時刻情報管理部８１のカウンタが自走クロック信号でカウントアップすることは、自走クロック信号に基づいて自走時刻情報を生成することに相当する。
【０１００】
第１時刻情報管理部８１は、時刻情報再生部５０から与えられる再生時刻情報（ＲＴＩ）にカウンタを合わせる。第１時刻情報管理部８１は、予め定めるタイミング、たとえば、秒の小数点以下が「０」になったときに、カウント値である同期時刻情報または自走時刻情報を時刻情報として出力し、第２ＳＥＬ８４に与える。
【０１０１】
第２時刻情報管理部８２は、発振器４７から与えられる自走クロック信号でカウントアップして現在時刻を示すカウンタを有する。第２時刻情報管理部８２は、自走時刻情報生成部および自走時刻管理部に相当する。第２時刻情報管理部８２のカウンタのカウント値は、現在時刻を表す自走時刻情報に相当する。第２時刻情報管理部８２のカウンタが自走クロック信号でカウントアップすることは、自走クロック信号に基づいて自走時刻情報を生成することに相当する。
【０１０２】
第２時刻情報管理部８２は、時刻情報再生部５０から与えられる再生時刻情報（ＲＴＩ）にカウンタを合わせる。また第２時刻情報管理部８２は、単位時間毎、たとえば１ｍｓ毎に時刻補正値生成部７２から与えられる時刻補正値（ＣＶ）に基づいて、カウント値を補正する。第２時刻情報管理部８２は、予め定めるタイミング、たとえば、秒の小数点以下が「０」になったときに、補正したカウント値である自走時刻情報を時刻情報として出力し、第２ＳＥＬ８４に与える。
【０１０３】
第２ＳＥＬ８４は、下り信号断検出部４５から与えられるフラグ情報を含むクロック選択信号（ＣＳＳ）に基づいて、第１時刻情報管理部８１から与えられる時刻情報または第２時刻情報管理部８２から与えられる時刻情報を選択する。
【０１０４】
下り信号断検出部４５によって下り信号が信号断状態であることが検出されない場合、すなわち下り信号断検出部４５によって下り信号が信号断状態でないことが検出された場合、第２ＳＥＬ８４には、下り信号断検出部４５から、フラグ情報として「０」が与えられる。第２ＳＥＬ８４は、下り信号断検出部４５から、フラグ情報として「０」が与えられると、第１時刻情報管理部８１から与えられる時刻情報を、ＯＮＵ用インタフェース部４３に与える。
【０１０５】
下り信号断検出部４５によって下り信号が信号断状態であることが検出された場合、第２ＳＥＬ８４には、下り信号断検出部４５から、フラグ情報として「１」が与えられる。第２ＳＥＬ８４は、下り信号断検出部４５から、フラグ情報として「１」が与えられると、第２時刻情報管理部８２から与えられる時刻情報を、ＯＮＵ用インタフェース部４３に与える。
【０１０６】
図８は、本発明の第２の実施の形態のＯＮＵ２における時刻情報出力処理に関する処理手順を示すフローチャートである。図８に示す各処理は、ＯＮＵ２の下り信号断検出部４５および第２ＳＥＬ８４によって実行される。ＯＮＵ２に、不図示の電源から電力が供給されると、図８のフローチャートに示す処理が開始され、ステップｂ１に移行する。
【０１０７】
ステップｂ１において、下り信号断検出部４５は、下り信号の入力状態を確認する。具体的には、下り信号断検出部４５は、下り信号が入力されているか否か、または下り信号の信号レベルが予め定める閾値以下であるか否かを確認する。下り信号断検出部４５は、下り信号の入力状態を確認すると、ステップｂ２に移行する。
【０１０８】
ステップｂ２において、下り信号断検出部４５は、ステップｂ１で確認した下り信号の入力状態に基づいて、下り信号が信号断状態であるか否かを判断する。ステップｂ２において、信号断状態であると判断された場合は、ステップｂ３に移行し、信号断状態でないと判断された場合は、ステップｂ４に移行する。
【０１０９】
ステップｂ３において、第２ＳＥＬ８４は、第２時刻情報管理部８２で生成された時刻情報をＯＮＵ用インタフェース部４３に与える。ステップｂ３の処理が終了した後は、全ての処理手順を終了する。
【０１１０】
ステップｂ４において、第２ＳＥＬ８４は、第１時刻情報管理部８１で生成された時刻情報をＯＮＵ用インタフェース部４３に与える。ステップｂ４の処理が終了した後は、全ての処理手順を終了する。
【０１１１】
前述の第１の実施の形態では、時刻カウンタである時刻情報管理部７３のカウンタの補正を常に行うので、わずかながら時刻飛びが発生する。この時刻飛びは、補正の単位時間を短くすることによって、実際に使用する上で問題がないレベルにはなるが、可能な限り抑えることが好ましい。
【０１１２】
そこで、本実施の形態では、入力される下り信号がある場合、すなわち信号断状態でない場合には、前提技術と同様に、ＯＬＴ同期クロック信号で駆動される時刻カウンタである第１時刻情報管理部８１のカウンタの値を時刻情報として使用する構成としている。これによって、高精度の時刻情報を生成することができる。
【０１１３】
また、入力される下り信号が無い場合、すなわち信号断状態である場合には、第１の実施の形態と同じ動作となるようにしている。これによって、ユーザトラフィックは流れていないが時刻同期機能は使用中という状態のときでも、ＯＮＵ２を、ＯＮＵ用光電気変換部４１の電源をオフ状態にするサイクリックスリープモードに移行させることができる。したがって、ＯＮＵ２の省電力化を図ることができる。
【０１１４】
以上に述べた本実施の形態では、第２ＳＥＬ８４は、下り信号が信号断状態であるか否かに基づいて、第１時刻情報管理部８１で生成された時刻情報を出力するか、第２時刻情報管理部８２で生成された時刻情報を出力するかを選択するように構成されているが、このような構成に限定されず、他の構成であってもよい。たとえば、第２ＳＥＬ８４は、ＯＮＵ用ＰＯＮ制御部４４から与えられる制御情報に基づいて、第１時刻情報管理部８１で生成された時刻情報を出力するか、第２時刻情報管理部８２で生成された時刻情報を出力するかを選択するように構成されてもよい。この場合の構成を以下に説明する。
【０１１５】
ＯＬＴ１１からＯＮＵ２に送信される下り信号に、ＯＮＵ用光電気変換部４１の電源をオフ状態にするスリープ状態にしてもよい旨のスリープ許可フレーム（以下「ＳＡＦ」という場合がある）を含ませておく。
【０１１６】
ＯＮＵ用フレーム抽出部４２は、ＯＮＵ用光電気変換部４１から与えられる下り信号（ＤＳ）から、前述の時刻同期フレーム（ＴＳＦ）、下りＰＯＮ制御フレーム（ＤＣＦ）および下りユーザフレーム（ＤＵＦ）とともに、スリープ許可フレーム（ＳＡＦ）を識別して、抽出する。ＯＮＵ用フレーム抽出部４２は、抽出したスリープ許可フレーム（ＳＡＦ）をＯＮＵ用ＰＯＮ制御部４４に与える。
【０１１７】
ＯＮＵ用ＰＯＮ制御部４４は、ＯＮＵ用フレーム抽出部４２から与えられるスリープ許可フレーム（ＳＡＦ）に基づいて、スリープ状態に移行するか否かを判断する。ＯＮＵ用ＰＯＮ制御部４４は、スリープ状態に移行するか否かを表すスリープ制御情報（以下「ＳＣＩ」という場合がある）を第２ＳＥＬ８４に与える。スリープ制御情報（ＳＣＩ）は、スリープ状態に移行する旨の情報、またはスリープ状態に移行しない旨の情報である。
【０１１８】
第２ＳＥＬ８４は、ＯＮＵ用ＰＯＮ制御部４４から与えられるスリープ制御情報（ＳＣＩ）に基づいて、第１時刻情報管理部８１で生成された時刻情報を出力するか、第２時刻情報管理部８２で生成された時刻情報を出力するかを選択する。具体的には、第２ＳＥＬ８４は、ＯＮＵ用ＰＯＮ制御部４４から与えられるスリープ制御情報（ＳＣＩ）が、スリープ状態に移行しない旨の情報である場合は、第１時刻情報管理部８１で生成された時刻情報を出力する。第２ＳＥＬ８４は、ＯＮＵ用ＰＯＮ制御部４４から与えられるスリープ制御情報（ＳＣＩ）が、スリープ状態に移行する旨の情報である場合は、第２時刻情報管理部８２で生成された時刻情報を出力する。以上のように構成される場合でも、本実施の形態と同様の効果を得ることができる。
【０１１９】
＜第３の実施の形態＞
図９は、本発明の第３の実施の形態におけるＯＮＵ３の構成を示すブロック図である。図９に示す本実施の形態のＯＮＵ３の構成は、前述の図７に示す第２の実施の形態のＯＮＵ２の構成と類似しているので、異なる部分についてのみ説明し、対応する部分には同一の参照符を付して、共通する説明を省略する。
【０１２０】
本実施の形態のＯＮＵ３は、前述の第２の実施の形態におけるＯＮＵ２の構成に加えて、スリープ時間管理部８５およびスリープ制御部８６を備える。すなわちＯＮＵ３は、ＯＮＵ用光電気変換部４１、ＯＮＵ用フレーム抽出部４２、ＯＮＵ用インタフェース部４３、ＯＮＵ用ＰＯＮ制御部４４、下り信号断検出部４５、クロック抽出部４６、発振器４７、ＯＮＵ用ローカルタイマ部４９、時刻情報再生部５０、ＯＮＵ用ＭＵＸ部５２、周波数偏差測定部７１、時刻補正値生成部７２、第１時刻情報管理部８１、第２時刻情報管理部８２、第１ＳＥＬ８３、第２ＳＥＬ８４、スリープ時間管理部８５およびスリープ制御部８６を備えて構成される。
【０１２１】
本実施の形態では、周波数偏差測定部７１は、測定した周波数偏差（ＦＤ）の測定結果を、時刻補正値生成部７２およびスリープ時間管理部８５に与える。
【０１２２】
スリープ時間管理部８５は、周波数偏差測定部７１から与えられる周波数偏差（ＦＤ）の測定結果に基づいて、測定結果の時間変化を測定し、ホールドオーバ可能な時間、すなわちスリープ状態を維持可能な時間を、スリープ許可時間（以下「ＳＬＰＴ」という場合がある）として決定する。スリープ時間管理部８５は、決定したスリープ許可時間（ＳＬＰＴ）をスリープ制御部８６に与える。
【０１２３】
スリープ制御部８６は、以下のようにして、ＯＮＵ用光電気変換部４１の電源をオン（ＯＮ）状態からオフ（ＯＦＦ）状態、またはオフ状態からオン状態へ切り替えるように、ＯＮＵ用光電気変換部４１を制御する。スリープ制御部８６は、トラフィックの有無などに応じて、ＯＮＵ用光電気変換部４１の電源をオン（ＯＮ）状態からオフ（ＯＦＦ）状態、またはオフ状態からオン状態へ切り替える指示情報を含む電源制御信号（以下「ＰＣＳ」という場合がある）を生成する。スリープ制御部８６は、生成した電源制御信号（ＰＣＳ）をＯＮＵ用光電気変換部４１に与える。
【０１２４】
ＯＮＵ用光電気変換部４１は、スリープ制御部８６から与えられる電源制御信号（ＰＣＳ）に基づいて、電源をオン状態からオフ状態へ切り替えるか、またはオフ状態からオン状態へ切り替える。
【０１２５】
ＯＮＵ３がスリープ状態でないときに、ＯＮＵ用光電気変換部４１が電源をオン状態からオフ状態へ切り替えることによって、ＯＮＵ３がスリープ状態となる。ＯＮＵ３がスリープ状態であるときに、ＯＮＵ用光電気変換部４１が電源をオフ状態からオン状態へ切り替えることによって、ＯＮＵ３のスリープ状態が解除される。
【０１２６】
スリープ制御部８６は、ＯＮＵ３がスリープ状態であるとき、スリープ時間管理部８５から与えられるスリープ許可時間（ＳＬＰＴ）に基づいて、ＯＮＵ３をスリープ状態に維持するか否かを判断する。具体的には、スリープ制御部８６は、スリープ状態を継続している時間（以下「スリープ継続時間」という場合がある）が、スリープ状態を維持可能な時間であるスリープ許可時間（ＳＬＰＴ）以上であるか否かを判断する。
【０１２７】
スリープ制御部８６は、スリープ継続時間がスリープ許可時間（ＳＬＰＴ）以上であると判断した場合は、ＯＮＵ用光電気変換部４１の電源をオフ状態からオン状態へ切り替えて、スリープ状態を解除する。具体的には、スリープ制御部８６は、ＯＮＵ用光電気変換部４１の電源をオフ状態からオン状態へ切り替える指示情報を含む電源制御信号(ＰＣＳ)を生成し、ＯＮＵ用光電気変換部４１に与える。これによって、ＯＮＵ用光電気変換部４１の電源がオフ状態からオン状態へ切り替わり、スリープ状態が解除される。
【０１２８】
スリープ制御部８６は、トラフィックの有無を判断可能に構成される。本実施の形態では、スリープ制御部８６は、ＯＮＵ用インタフェース部４３から通知されるフレーム受信状態情報（以下「ＲＣＳ」という場合がある）に基づいて、トラフィックの有無を判断する。フレーム受信状態情報（ＲＣＳ）は、フレームの受信状態を表す。
【０１２９】
ＯＮＵ用インタフェース部４３は、フレーム受信状態情報（ＲＣＳ）として、上りユーザフレーム（ＵＵＦ）の有無を表すＵＵＦ有無情報をスリープ制御部８６に通知する。ＯＮＵ用インタフェース部４３は、ＵＵＦが一定時間流れていなければ、「トラフィック無」を表すＵＵＦ有無情報をスリープ制御部８６に通知する。ＯＮＵ用インタフェース部４３は、トラフィックを受信する、具体的にはＵＵＦを受信すると、「トラフィック有」を表すＵＵＦ有無情報をスリープ制御部８６に通知する。
【０１３０】
スリープ制御部８６は、ＯＮＵ３がスリープ状態でないとき、トラフィックの有無に基づいて、スリープ状態に移行させるか否かを判断する。具体的には、スリープ制御部８６は、トラフィックが無いと判断すると、ＯＮＵ用光電気変換部４１の電源をオン状態からオフ状態へ切り替えるようにＯＮＵ用光電気変換部４１を制御して、ＯＮＵ３をスリープ状態に移行させる。スリープ制御部８６は、トラフィックが有ると判断すると、ＯＮＵ用光電気変換部４１の電源をオン状態に維持するようにＯＮＵ用光電気変換部４１を制御して、ＯＮＵ３のスリープ状態を維持させる。
【０１３１】
図１０は、本発明の第３の実施の形態におけるＯＮＵ３がスリープ状態でない場合の処理に関する処理手順を示すフローチャートである。図１０に示す各処理は、ＯＮＵ３の下り信号断検出部４５、周波数偏差測定部７１、スリープ時間管理部８５およびスリープ制御部８６によって実行される。
【０１３２】
ＯＮＵ用光電気変換部４１の電源がオン状態になると、図１０のフローチャートに示す処理が開始され、ステップｃ１に移行する。ＯＮＵ用光電気変換部４１の電源は、たとえば、ＯＮＵ３へ不図示の電源から電力の供給が開始されたとき、または後述する図１１のステップｄ６でＯＮＵ用光電気変換部４１の電源がオフ状態からオン状態に切り替えられたたとき、オン状態になる。
【０１３３】
ステップｃ１において、下り信号断検出部４５は、下り信号の入力状態を確認する。具体的には、下り信号断検出部４５は、下り信号が入力されているか否か、または下り信号の信号レベルが予め定める閾値以下であるか否かを確認する。下り信号断検出部４５は、下り信号の入力状態を確認すると、ステップｃ２に移行する。
【０１３４】
ステップｃ２において、下り信号断検出部４５は、ステップｃ１で確認した下り信号の入力状態に基づいて、下り信号が信号断状態であるか否かを判断する。ステップｃ２において、信号断状態であると判断された場合は、ステップｃ３に移行し、信号断状態でないと判断された場合は、ステップｃ４に移行する。
【０１３５】
ステップｃ３において、スリープ時間管理部８５は、スリープ許可時間（ＳＬＰＴ）が計算済みであるか否かを判断する。ステップｃ３において、スリープ許可時間（ＳＬＰＴ）が計算済みであると判断された場合は、ステップｃ６に移行し、計算済みでないと判断された場合は、ステップｃ１に戻り、前述の処理を繰り返す。
【０１３６】
ステップｃ４において、周波数偏差測定部７１は、前述の第２の実施の形態と同様にして周波数偏差（ＦＤ）を測定する。周波数偏差（ＦＤ）が測定されると、ステップｃ５に移行する。
【０１３７】
ステップｃ５において、スリープ時間管理部８５は、前述のようにしてスリープ許可時間（ＳＬＰＴ）を計算する。スリープ許可時間（ＳＬＰＴ）が計算されると、ステップｃ６に移行する。
【０１３８】
ステップｃ６において、スリープ制御部８６は、トラフィックの状況を確認する。具体的には、スリープ制御部８６は、トラフィックの有無を確認する。スリープ制御部８６は、トラフィックの状況を確認すると、ステップｃ７に移行する。
【０１３９】
ステップｃ７において、スリープ制御部８６は、ステップｃ６の確認結果に基づいて、トラフィックが無いか否かを判断する。スリープ制御部８６は、ステップｃ７において、トラフィックが無いと判断した場合は、ステップｃ８に移行し、トラフィックが有ると判断した場合は、ステップｃ９に移行する。
【０１４０】
ステップｃ８において、スリープ制御部８６は、ＯＮＵ用光電気変換部４１の電源をオン状態からオフ状態に切り替えて、ＯＮＵ３をスリープ状態にする。ステップｃ８の処理の終了後は、全ての処理手順を終了する。
【０１４１】
ステップｃ９において、スリープ制御部８６は、ＯＮＵ用光電気変換部４１の電源をオン状態に維持する。ステップｃ９の処理の終了後は、全ての処理手順を終了する。
【０１４２】
図１１は、本発明の第３の実施の形態におけるＯＮＵ３がスリープ状態である場合の処理に関する処理手順を示すフローチャートである。図１１に示す各処理は、スリープ制御部８６によって実行される。前述の図１０に示すステップｃ８でＯＮＵ用光電気変換部４１の電源がオン状態からオフ状態に切り替えられて、ＯＮＵ３がスリープ状態になると、図１１のフローチャートに示す処理が開始され、ステップｄ１に移行する。
【０１４３】
ステップｄ１において、スリープ制御部８６は、トラフィックの状況を確認する。具体的には、スリープ制御部８６は、トラフィックの有無を確認する。スリープ制御部８６は、トラフィックの状況を確認すると、ステップｄ２に移行する。
【０１４４】
ステップｄ２において、スリープ制御部８６は、ステップｄ１の確認結果に基づいて、トラフィックが無いか否かを判断する。スリープ制御部８６は、ステップｄ２において、トラフィックが無いと判断した場合は、ステップｄ３に移行し、トラフィックが有ると判断した場合は、ステップｄ６に移行する。
【０１４５】
ステップｄ３において、スリープ制御部８６は、スリープ継続時間を確認する。スリープ制御部８６は、スリープ継続時間を確認すると、ステップｄ４に移行する。
【０１４６】
ステップｄ４において、スリープ制御部８６は、スリープ継続時間がスリープ許可時間（ＳＬＰＴ）以上であるか否かを判断する。スリープ制御部８６は、ステップｄ４において、スリープ継続時間がスリープ許可時間（ＳＬＰＴ）以上でない、すなわちスリープ継続時間がスリープ許可時間（ＳＬＰＴ）未満であると判断した場合は、ステップｄ５に移行し、スリープ継続時間がスリープ許可時間（ＳＬＰＴ）以上であると判断した場合は、ステップｄ６に移行する。
【０１４７】
ステップｄ５において、スリープ制御部８６は、ＯＮＵ用光電気変換部４１の電源をオフ状態に維持する。これによって、ＯＮＵ３がスリープ状態に維持される。ステップｄ５の処理の終了後は、ステップｄ１に戻り、前述の処理を繰り返す。
【０１４８】
ステップｄ６において、スリープ制御部８６は、ＯＮＵ用光電気変換部４１の電源をオフ状態からオン状態に切り替える。これによって、ＯＮＵ３のスリープ状態が解除される。ステップｄ６の処理の終了後は、全ての処理手順を終了する。
【０１４９】
以上に述べた本実施の形態によれば、以下の効果が得られる。クロック信号の偏差は時間とともに変動するので、前述の第１および第２の実施の形態を用いても、下り信号の信号断状態が長時間継続すると、時刻の精度が悪化していく。これに対し、本実施の形態では、スリープ継続時間がスリープ許可時間（ＳＬＰＴ）以上になると、ＯＮＵ用光電気変換部４１の電源がオフ状態からオン状態に切り替えられて、ＯＮＵ３のスリープ状態が解除される。したがって、時刻の精度がＰＯＮシステムの許容量を超える前に、ＯＮＵ３をスリープ状態から解除することができる。
【０１５０】
また本実施の形態では、トラフィックが無いと判断された場合に、ＯＮＵ用光電気変換部４１の電源がオン状態からオフ状態へ切り替えられて、ＯＮＵ３がスリープ状態に移行される。したがって、ＯＮＵ３とＯＬＴ１１との間の通信を阻害することなく、ＯＮＵ３をスリープ状態にして、ＯＮＵ３の省電力化を図ることができる。
【０１５１】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１５２】
１  ＯＮＵ、４１  ＯＮＵ用光電気変換部、４２  ＯＮＵ用フレーム抽出部、４３  ＯＮＵ用インタフェース部、４４  ＯＮＵ用ＰＯＮ制御部、４５  下り信号断検出部、４６  クロック抽出部、４７  発振器、４８  ＳＥＬ、４９  ＯＮＵ用ローカルタイマ部、５０  時刻情報再生部、５２  ＯＮＵ用ＭＵＸ部、７１  周波数偏差測定部７１、７２  時刻補正値生成部、７３  時刻情報管理部、８１  第１時刻情報管理部、８２  第２時刻情報管理部、８３  第１ＳＥＬ、８４  第２ＳＥＬ、８５  スリープ時間管理部、８６  スリープ制御部。
【図１】
0005611472.tif 000002
【図２】
0005611472.tif 000003
【図３】
0005611472.tif 000004
【図４】
0005611472.tif 000005
【図５】
0005611472.tif 000006
【図６】
0005611472.tif 000007
【図７】
0005611472.tif 000008
【図８】
0005611472.tif 000009
【図９】
0005611472.tif 000010
【図１０】
0005611472.tif 000011
【図１１】
0005611472.tif 000012